(57)【特許請求の範囲】
【請求項１】
遊技の進行に応じて遊技機側から出力される遊技信号を受信する受信手段と、
遊技場における遊技機の配置場所を表す遊技機ＩＤに対応付けて、遊技機の機種を表す機種情報を記憶する機種情報記憶手段と、
前記遊技機ＩＤの集合である配置グループを表すグループ情報を前記遊技機ＩＤに対応付けて記憶するグループ情報記憶手段と、
前記受信手段による前記遊技信号の受信回数を基にして所定の演算処理により得られた遊技データを前記遊技機ＩＤに対応付けて営業日毎に管理する遊技データ管理手段と、
遊技機の機種別の遊技データであって、所定の単位期間毎の基準となる遊技データである機種別遊技データを取り込む機種別遊技データ取込手段と、を備えた遊技場用管理装置であって、
遊技機の配置場所を変更する配置替が実施された際、配置替が実施された遊技機の機種について、当該機種が新台入替により導入されてから当該配置替が実施されるまでの期間を特定可能な期間情報と共に、配置替の実施前の遊技機ＩＤ及び配置替の実施後の遊技機ＩＤの組み合わせを表す配置替情報を記憶する配置替情報記憶手段と、
前記機種情報記憶手段が記憶する前記機種情報、前記グループ情報記憶手段が記憶する前記グループ情報、前記配置替情報記憶手段が記憶する前記配置替情報、及び前記遊技データ管理手段が管理する前記遊技データに基づいて、配置替が実施された機種について、配置替の実施前の所定期間における遊技データである第１の配置替データ及び配置替の実施後の所定期間における遊技データである第２の配置替データを生成する配置替データ生成手段と、
前記配置替情報記憶手段が記憶する期間情報に基づいて前記配置替の実施前の所定期間に対応する単位期間を特定すると共に、当該単位期間について前記機種別遊技データ取込手段が取り込んだ機種別遊技データに基づいて前記配置替の実施前の所定期間において想定される遊技データである第１の基準データを生成する一方、
前記配置替情報記憶手段が記憶する期間情報に基づいて前記配置替の実施後の所定期間に対応する単位期間を特定すると共に、当該単位期間について前記機種別遊技データ取込手段が取り込んだ機種別遊技データに基づいて前記配置替の実施後の所定期間において想定される遊技データである第２の基準データを生成する基準データ生成手段と、
前記第１の配置替データに基づく前記第２の配置替データの変化度合いである第１の変化度合いと、前記第１の基準データに基づく前記第２の基準データの変化度合いである第２の変化度合いとを対比可能な比較データを出力する出力手段と、を備えたことを特徴とする遊技場用管理装置。
【請求項２】
前記遊技場用管理装置は、遊技機の機種毎の遊技場への導入時期を含む導入情報、及び前記機種情報が関係付けられた状態の遊技データを管理対象とする複数の遊技場から取り込み、新台入替により当該機種が遊技場に導入されてから前記単位期間毎の所定数の遊技機当たりの遊技データを遊技機の機種毎に管理すると共に、当該遊技データを前記複数の遊技場に向けて送信可能なように構成された場外サーバ装置と通信可能な状態で接続されており、
前記機種別遊技データ取込手段は、前記場外サーバ装置から送信される機種毎の平均の遊技データを前記機種別遊技データとして取り込む手段であることを特徴とする請求項１に記載の遊技場用管理装置。
【請求項３】
前記第２の配置替データに対する前記第１の配置替データの割合である抽出変化率を前記第１の変化度合いとして算出する抽出変化率算出手段と、
前記第２の基準データに対する前記第１の基準データの割合である基準変化率を前記第２の変化度合いとして算出する基準変化率算出手段と、を備え、
前記出力手段が出力する前記比較データは、前記抽出変化率及び前記基準変化率を含むことを特徴とする請求項１又は２に記載の遊技場用管理装置。
【請求項４】
前記基準変化率に対する前記抽出変化率の割合である配置変化率を算出する配置変化率算出手段と、
配置替の実施により異なる配置グループから特定の配置グループに配置替された際の配置変化率の平均値を、当該特定の配置グループについての配置グループ期待値として算出する期待値算出手段と、を備え
前記出力手段が出力する前記比較データは、前記配置グループ期待値を含むことを特徴とする請求項３に記載の遊技場用管理装置。
【請求項５】
前記配置替データ生成手段は、前記遊技データ管理手段が管理する遊技データの中から前記配置替の実施前の所定期間、及び前記配置替の実施後の所定期間における遊技データを抽出し、当該遊技データから算出される当該各所定期間における所定数の遊技機当たりの平均遊技データを、当該所定数の遊技機により想定される前記第１及び第２の配置替データとして生成するように構成され、
前記基準データ生成手段は、前記機種別遊技データとして、前記所定期間に対応する単位期間に渡る遊技機１台当たりの遊技データを抽出すると共に、
当該機種別遊技データに対して前記所定数を乗じることにより、上記各所定期間において前記所定数の遊技機により想定される前記第１及び第２の基準データを生成するように構成されていることを特徴とする請求項１〜４のいずれか１項に記載の遊技場用管理装置。
【発明の詳細な説明】
【技術分野】
【０００１】
本発明は、遊技場に設置された遊技機の遊技データを管理するための遊技場用管理装置に関する。
【背景技術】
【０００２】
従来より、遊技場では、定期的に遊技機を新台に入れ替えて集客効果を高く維持しようとしている。新台入替の際には、既存の遊技機の配置替が行われることがある。このような配置替が実施された際、配置替の実施前に集計された遊技データを基礎として、配置替の実施後に継続的に遊技データを集計する遊技場用管理装置が知られている（例えば、特許文献１参照。）。
【０００３】
ところで、遊技場内で遊技機が配置される配置場所は、必ずしも集客効果が一定ではなく、配置場所に応じて集客効果に差異が生じる可能性が高い。例えば、遊技場内に設置されたテレビを視聴可能な配置場所や、遊技客の目に留まり易い配置場所等は高い集客効果を期待し得る一方、出入り口が間近に有り扉の開け閉めにより気温が上下し易い配置場所については集客効果が低くなるおそれがある。
【０００４】
配置場所に応じた集客効果の違いを十分に考慮していない前記特許文献１の管理装置による遊技データに基づいて配置替を計画すると、配置替に起因して稼動率が予想外に増減するおそれがある。また、配置場所に応じた集客効果の違いを管理することも困難である。そこで、配置場所毎に遊技データを管理する遊技場用管理装置が提案されている（例えば、特許文献２参照。）。
【０００５】
しかしながら、上記従来の遊技場用管理装置では、次のような問題がある。すなわち、単に配置場所毎の遊技データを集計するのみでは、遊技機の機種に応じた集客効果の違いや、新台入替により導入されてからの経過期間に応じた集客効果の低下等による影響が包含されてしまうため、配置場所の違いによる集客効果を正しく判断できないおそれがある。
【０００６】
【特許文献１】特開２００４−６５６８６号公報
【特許文献２】特開平６−７１０３５号公報
【発明の開示】
【発明が解決しようとする課題】
【０００７】
本発明は、上記従来の問題点に鑑みてなされたものであり、遊技場における配置場所に応じた集客効果を適切に把握し得る遊技場用管理装置を提供しようとするものである。
【課題を解決するための手段】
【０００８】
本発明は、遊技の進行に応じて遊技機側から出力される遊技信号を受信する受信手段と、
遊技場における遊技機の配置場所を表す遊技機ＩＤに対応付けて、遊技機の機種を表す機種情報を記憶する機種情報記憶手段と、
前記遊技機ＩＤの集合である配置グループを表すグループ情報を前記遊技機ＩＤに対応付けて記憶するグループ情報記憶手段と、
前記受信手段による前記遊技信号の受信回数を基にして所定の演算処理により得られた遊技データを前記遊技機ＩＤに対応付けて営業日毎に管理する遊技データ管理手段と、
遊技機の機種別の遊技データであって、所定の単位期間毎の基準となる遊技データである機種別遊技データを取り込む機種別遊技データ取込手段と、を備えた遊技場用管理装置であって、
遊技機の配置場所を変更する配置替が実施された際、配置替が実施された遊技機の機種について、当該機種が新台入替により導入されてから当該配置替が実施されるまでの期間を特定可能な期間情報と共に、配置替の実施前の遊技機ＩＤ及び配置替の実施後の遊技機ＩＤの組み合わせを表す配置替情報を記憶する配置替情報記憶手段と、
前記機種情報記憶手段が記憶する前記機種情報、前記グループ情報記憶手段が記憶する前記グループ情報、前記配置替情報記憶手段が記憶する前記配置替情報、及び前記遊技データ管理手段が管理する前記遊技データに基づいて、配置替が実施された機種について、配置替の実施前の所定期間における遊技データである第１の配置替データ及び配置替の実施後の所定期間における遊技データである第２の配置替データを生成する配置替データ生成手段と、
前記配置替情報記憶手段が記憶する期間情報に基づいて前記配置替の実施前の所定期間に対応する単位期間を特定すると共に、当該単位期間について前記機種別遊技データ取込手段が取り込んだ機種別遊技データに基づいて前記配置替の実施前の所定期間において想定される遊技データである第１の基準データを生成する一方、
前記配置替情報記憶手段が記憶する期間情報に基づいて前記配置替の実施後の所定期間に対応する単位期間を特定すると共に、当該単位期間について前記機種別遊技データ取込手段が取り込んだ機種別遊技データに基づいて前記配置替の実施後の所定期間において想定される遊技データである第２の基準データを生成する基準データ生成手段と、
前記第１の配置替データに基づく前記第２の配置替データの変化度合いである第１の変化度合いと、前記第１の基準データに基づく前記第２の基準データの変化度合いである第２の変化度合いとを対比可能な比較データを出力する出力手段と、を備えたことを特徴とする遊技場用管理装置にある（請求項１）。
【０００９】
本発明の遊技場用管理装置は、配置替の実施前の所定期間の前記第１の配置替データ及び配置替の実施後の所定期間の前記第２の配置替データを抽出する前記配置替データ生成手段と、前記配置替の実施前の所定期間に対応する前記第１の基準データ、及び前記配置替の実施後の所定期間に対応する前記第２の基準データを抽出する前記基準データ生成手段とを備えている。
【００１０】
そして、本発明の遊技場用管理装置における出力手段は、前記第１の変化度合いと前記第２の変化度合いとを対比可能な前記比較データを出力する。ここで、前記第２の変化度合いは、配置替の対象の遊技機の機種についての遊技場での稼動期間（新台入替による導入後の期間）に応じた集客効果の変動による遊技データの変動度合いを表している。一方、前記第１の変化度合いは、遊技機の機種についての遊技場での導入期間に応じた集客効果の変動に加えて、配置替による配置場所の変更に伴う集客効果の変動に基づく遊技データの変動度合いを表している。したがって、前記第１の変化度合いと前記第２の変化度合いとを対比可能な前記比較データに基づけば、配置替の実施前後における遊技データの変化度合いの中から配置替が実施された遊技機の機種についての遊技場での稼動期間に応じた集客効果の変動度合いを排除しつつ、配置替による効果を正しく把握可能になる。
【００１１】
以上のように、本発明の遊技場用管理装置は、配置場所に応じた集客効果を適切に把握し得るという優れた特性を備えた管理装置である。
【００１２】
本発明の遊技場用管理装置が管理対象とする遊技機としては、パチンコ玉の入賞に応じてパチンコ玉を払い出すパチンコ機や、停止表示された図柄の組合せに応じてメダルを払い出すスロットマシン等がある。さらに、スロットマシンとしては、遊技媒体がメダルである遊技機には限定されず、パチンコ玉を遊技媒体としたパロット（Ｒ）等であっても良い。
【００１３】
また、前記比較データとしては、前記各配置替データ及び前記各基準データの具体的な数値であっても良く、これらのデータを加工した２次データであっても良い。経験を積んだ遊技場の管理者等であれば、前記具体的な数値よりなる比較データに基づいて配置場所に応じた集客効果を精度高く把握し得る。一方、２次データよりなる比較データは、配置場所に応じた集客効果の度合いを示す指標となり得る。
【００１４】
また、前記遊技場用管理装置は、遊技機の機種毎の遊技場への導入時期を含む導入情報、及び前記機種情報が関係付けられた状態の遊技データを管理対象とする複数の遊技場から取り込み、新台入替により当該機種が遊技場に導入されてから前記単位期間毎の所定数の遊技機当たりの遊技データを遊技機の機種毎に管理すると共に、当該遊技データを前記複数の遊技場に向けて送信可能なように構成された場外サーバ装置と通信可能な状態で接続されており、
前記機種別遊技データ取込手段は、前記場外サーバ装置から送信される機種毎の平均の遊技データを前記機種別遊技データとして取り込む手段であることが好ましい（請求項２）。
この場合には、前記機種別遊技データが大規模な母集団に基づくものとなり、精度が向上し得る。それ故、前記比較データの精度を一層、高めることが可能になる。
【００１５】
また、前記第２の配置替データに対する前記第１の配置替データの割合である抽出変化率を前記第１の変化度合いとして算出する抽出変化率算出手段と、
前記第２の基準データに対する前記第１の基準データの割合である基準変化率を前記第２の変化度合いとして算出する基準変化率算出手段と、を備え、
前記出力手段が出力する前記比較データは、前記抽出変化率及び前記基準変化率を含むことが好ましい（請求項３）。
この場合には、配置替の対象の遊技機の機種自体の集客効果の変動に起因した遊技データの変動度合いを前記基準変化率として確実性高く把握できる。一方、遊技機の機種自体の集客効果の変動、及び配置替に起因した遊技データの変動度合いについては、前記抽出変化率として把握できる。したがって、前記抽出変化率と前記基準変化率との対比により、前記配置場所による集客効果の違いを把握できるようになる。
【００１６】
また、前記基準変化率に対する前記抽出変化率の割合である配置変化率を算出する配置変化率算出手段を備え、前記出力手段が出力する前記比較データは、前記配置変化率を含むことが好ましい。この場合には、前記抽出変化率と前記基準変化率との相対関係を前記配置変化率として指標化できるようになる。
【００１７】
また、前記基準変化率に対する前記抽出変化率の割合である配置変化率を算出する配置変化率算出手段と、
配置替の実施により異なる配置グループから特定の配置グループに配置替された際の配置変化率の平均値を、当該特定の配置グループについての配置グループ期待値として算出する期待値算出手段と、を備え
前記出力手段が出力する前記比較データは、前記配置グループ期待値を含むことが好ましい（請求項４）。
【００１８】
この場合には、配置場所に応じた集客効果を前記配置グループ期待値として把握できるようになる。当該配置グループ期待値によれば、前記配置グループ毎の集客効果を精度良く把握できるようになる。前記配置グループ毎の集客効果を指標化し得るため、集客効果の判断に当たって経験等の必要性を低減できる。
【００１９】
特に、前記配置グループ期待値に基づけば、前記配置グループに対する外的な要因を検討可能になる。例えば、配置グループ期待値が低い配置グループについては、何らかのマイナス要因の存在が考えられ、そのマイナス要因を排除すれば配置グループ期待値を向上できる可能性があることを把握できる。一方、配置グループ期待値が高い配置グループについては、何らかのプラス要因の存在を把握し得る。そのプラス要因を明確に把握できれば、当該プラス要因を他の配置グループに適用できるか否かの具体的な検討が可能になる。
【００２０】
また、前記配置替データ生成手段は、前記遊技データ管理手段が管理する遊技データの中から前記配置替の実施前の所定期間、及び前記配置替の実施後の所定期間における遊技データを抽出し、当該遊技データから算出される当該各所定期間における所定数の遊技機当たりの平均遊技データを、当該所定数の遊技機により想定される前記第１及び第２の配置替データとして生成するように構成され、
前記基準データ生成手段は、前記機種別遊技データとして、前記所定期間に対応する単位期間に渡る遊技機１台当たりの遊技データを抽出すると共に、
当該機種別遊技データに対して前記所定数を乗じることにより、上記各所定期間において前記所定数の遊技機により想定される前記第１及び第２の基準データを生成することが好ましい（請求項５）。
【００２１】
一般に遊技場において配置替えを行った場合、最も留意すべき点は、配置替えに伴って増台、あるいは減台された遊技機の台数を考慮した上で遊技データを算出しなければならない点にある。上記のように構成する場合には、遊技機の台数を前記所定数とした場合に仮想される累計の遊技データを特定するので、複数の配置替えのデータを統合する場合にも、配置替え前後の遊技機の台数を配置替え毎に特に考慮せずとも、前記配置替えにより変更された台数を考慮した配置替データ及び基準データを生成可能である。また、前記機種別遊技データとしては、遊技機１台当たりの遊技データを特定できる遊技データであれば良いので、その汎用性も高くなる。
【発明を実施するための最良の形態】
【００２２】
本発明の実施の形態につき、以下の実施例を用いて具体的に説明する。
（実施例１）
本例は、遊技機２が設置された遊技場を管理する遊技場用管理装置１に関する例である。この内容について、図１〜図８を用いて説明する。
本例の遊技場用管理装置１は、図１に示すごとく、遊技の進行に応じて遊技機２側から出力される遊技信号を受信する受信手段１３１と、遊技場における遊技機２の配置場所を表す遊技機ＩＤに対応付けて、遊技機２の機種を表す機種情報を記憶する機種情報記憶手段１２１と、遊技機ＩＤの集合である配置グループ（以下、コースという。）を表すグループ情報を遊技機ＩＤに対応付けて記憶するグループ情報記憶手段１２２と、受信手段１３１による遊技信号の受信回数を基にして所定の演算処理により得られた遊技データを遊技機ＩＤに対応付けて営業日毎に管理する遊技データ管理手段１１１と、遊技機２の機種別の遊技データであって、所定の単位期間毎の基準となる遊技データである機種別遊技データを取り込む機種別遊技データ取込手段１３２と、を備えた管理装置である。
【００２３】
この遊技場用管理装置１は、遊技機２の配置場所を変更する配置替が実施された際、配置替が実施された遊技機２の機種について、当該機種が新台入替により導入されてから当該配置替が実施されるまでの期間を特定可能な期間情報と共に、配置替の実施前の遊技機ＩＤ及び配置替の実施後の遊技機ＩＤの組み合わせを表す配置替情報を記憶する配置替情報記憶手段１２３と、機種情報記憶手段１２１が記憶する機種情報、グループ情報記憶手段１２２が記憶するグループ情報、配置替情報記憶手段１２３が記憶する配置替情報、及び遊技データ管理手段１１１が管理する遊技データに基づいて、配置替が実施された機種について、配置替の実施前の所定期間における遊技データである第１の配置替データ及び配置替の実施後の所定期間における遊技データである第２の配置替データを生成する配置替データ生成手段１１２と、配置替情報記憶手段１２３が記憶する期間情報に基づいて前記配置替の実施前の所定期間に対応する単位期間を特定すると共に、当該単位期間について機種別遊技データ取込手段１３２が取り込んだ機種別遊技データに基づいて前記配置替の実施前の所定期間において想定される遊技データである第１の基準データを生成する一方、配置替情報記憶手段１２３が記憶する期間情報に基づいて前記配置替の実施後の所定期間に対応する単位期間を特定すると共に、当該単位期間について機種別遊技データ取込手段１３２が取り込んだ機種別遊技データに基づいて前記配置替の実施後の所定期間において想定される遊技データである第２の基準データを生成する基準データ生成手段１１３と、第１の配置替データに基づく第２の配置替データの変化度合いである第１の変化度合いと、第１の基準データに基づく第２の基準データの変化度合いである第２の変化度合いとを対比可能な比較データを出力する出力手段１０３と、を備えている。
以下、この内容について詳しく説明する。
【００２４】
本例の遊技場用管理装置１（以下、単に管理装置１という。）は、図１に示すごとく、遊技場に設置された遊技機２を管理するための装置である。管理装置１は、遊技機２及び貸出機２１等が接続された通信ネットワーク２０に接続されている。各遊技機２は、個別に設置された貸出機２１と共に中継器２２を介して通信ネットワーク２０に接続されている。本例では、図１に示すごとく、通信ネットワーク２０としてＣＡＮ（Controller Area Network）を採用している。なお、通信ネットワーク２０としては、本例のＣＡＮに代えて、ＭＯＳＴやイーサネット（Ｒ）などのＬＡＮ規格等、様々な仕様のものを採用することができる。
【００２５】
さらに、本例の管理装置１は、遊技場外に設置された場外サーバ装置５と公衆通信回線５０を介して通信可能な状態で接続されている。場外サーバ装置５に対しては、遊技場毎に設置された複数の遊技場用管理装置が接続されている。なお、インターネット等の公衆通信回線５０を採用する場合には、例えば、ＶＰＮ（Virtual Private Network）技術等を利用することで、セキュリティレベルを高く確保可能である。さらに、公衆通信回線５０としては、ＩＮＳ回線（Information Network System）や、ＩＮＤＳ回線や、電話回線等、他の公衆回線を採用することもできる。
【００２６】
管理装置１を含む遊技場側のシステムの構成を説明する前に、まず、場外サーバ装置５が管理する遊技データ等について説明する。
場外サーバ装置５は、図１及び図２に示すごとく、管理する各遊技場に設置された管理装置１と通信可能な状態で接続されている。場外サーバ装置５は、図２に示すごとく、遊技場毎の遊技機の導入情報を管理している。場外サーバ装置５は、遊技場に導入（新台入替）された遊技機の機種毎に、種別、配置場所を表す遊技機ＩＤ（いわゆる台番）、導入時期（稼動期間情報）を管理している。同図は、遊技場Ｘについて場外サーバ装置５が管理する遊技機の導入情報を例示している。場外サーバ装置５は、他の遊技場についても図２と同様の導入情報を管理している。
【００２７】
さらに、場外サーバ装置５は、図１及び図３に示すごとく、遊技機２の機種毎に新台導入後の遊技データの推移を表す稼動推移情報を管理している。場外サーバ装置５は、各遊技場から受信した遊技データを集計して同図のような遊技データを生成している。本例の場外サーバ装置５が管理する機種別遊技データは、営業日１日遊技機１台当たりの平均の遊技データである。
【００２８】
場外サーバ装置５は、該当機種が新台導入された時点を起点として遊技データを管理している。新台導入の時点は、遊技場毎にばらつきが生じる可能性がある。例えば、遊技場Ｘが機種Ａを２００６年１０月５日に新台導入し、遊技場Ｙが機種Ａを２００６年１０月１５日に新台導入したようなケースでは、場外サーバ装置５は、遊技場Ｘにおける同年１０月５日の週の機種Ａの遊技データ、及び遊技場Ｙにおける同年１０月１５日の週の機種Ａの遊技データを図３の１週目の遊技データとして集計する。本例では、場外サーバ装置５が図３に示すごとく管理する機種毎の遊技データが前記機種別遊技データとなっている。
【００２９】
次に、遊技場側のシステムの構成について説明する。遊技機２、貸出機２１、及び中継器２２を説明してから管理装置１の構成を説明する。
本例の遊技機２は、図１に示すごとく、大当たり抽選の結果に応じて大当たりを発生させる、いわゆるセブン機と呼ばれるパチンコ機である。遊技機２は、払出玉１０玉ごとのセーフ信号（払出信号）、役物動作（本例のごとく特定の入賞口（始動口）への入賞に応じて大当たり抽選を実施し、その大当たり抽選に基づいて図柄変動を行うセブン機が管理対象であれば、特定の入賞口への入賞に伴う大当たり抽選、あるいは図柄変動等。）を行ったことを表すスタート信号（役物動作信号）、大当たり状態（本例のセブン機では、大当たり図柄が表示されると共に特定の入賞口を開放し、出玉率が高くなる遊技状態。）であることを表す大当たり信号、高確率で大当たり抽選に当選し得る確変状態であることを表す確変信号（特別遊技状態信号）等を出力する。さらに、遊技機２に対応して設置した玉回収装置（図示略。）がアウト信号（打込信号）を出力する。玉回収装置は、遊技に使用されて回収された回収玉１０玉毎にアウト信号（打込信号）を１回ずつ出力する。
【００３０】
なお、本例の遊技機２に代えて、遊技者が打ち込んだ玉数を表すアウト信号を直接出力する遊技機を採用することもできる。この場合には、上記玉回収装置を省略することができる。さらになお、上記遊技機２としては、本例のパチンコ機に限定されるものではなく、スロットマシン等の遊技機であっても良い。さらに、セーフ信号を出力しない遊技機２については、遊技機２に遊技媒体を補給する補給装置が出力する補給信号をセーフ信号として取り込むことが可能である。また、始動口への入賞数を示す信号をスタート信号として受信したり、始動口への入賞率が高まるいわゆる時短状態等の確変状態以外の特別遊技状態であることを表す状態信号を特別遊技状態信号として受信することも良い。
【００３１】
貸出機２１は、図１に示すごとく、各遊技機２に対応して隣り合う遊技機２との台間スペースに設置された装置である。貸出機２１は、貨幣を投入する貨幣投入口２１１と、遊技媒体としてのパチンコ玉を遊技機２に供給する貸玉ノズル２１０と、演出表示等を実施する液晶パネル２１２等を備えている。貸出機２１は、遊技媒体の対価として１００円が投入される毎に１回ずつ売上信号を発生し、中継器２２を介して通信ネットワーク２０に出力する。
【００３２】
中継器２２は、遊技機２側から取り込むアウト信号やセーフ信号や、貸出機２１の売上信号等の遊技信号を通信ネットワーク２０上の通信データに変換する装置である。この中継器２２は、各遊技機２の遊技機ＩＤを関連付けた状態で、アウト信号等の遊技信号を通信ネットワーク２０に向けて送出する。
【００３３】
次に、管理装置１は、図１に示すごとく、液晶ディスプレイを含む出力手段１０３と、各種の計算処理を実行する装置本体１０１と、キーボード及びマウスを含む入力手段１０２とを備えている。装置本体１０１は、演算処理を実行するＣＰＵ１１のほか、ハードディスクドライブ、ＲＡＭ、ＲＯＭ等の記憶手段１２、及び外部機器との入出力を行うＩ／Ｏ部１３を備えている。装置本体１０１は、内蔵する通信ポートを介して通信ネットワーク２０に接続されている。装置本体１０１は、通信ポートを介して各遊技機２のアウト信号等を受信する。
【００３４】
記憶手段１２は、図１に示すごとく、遊技場内に設置された遊技機のグループ情報を記憶するグループ情報記憶手段１２２、遊技場内に設置された遊技機の機種情報を記憶する機種情報記憶手段１２１、前記配置替情報を配置替の実施日と共に記憶する配置替情報記憶手段１２３、及び遊技データを記憶する遊技データ記憶手段１２４としての機能を備えている。
【００３５】
グループ情報記憶手段１２２は、図１及び図４に示すごとく、遊技場内の遊技機の配置場所を表す遊技機ＩＤの集合であるコース（配置グループ）を表すコースＩＤ（グループ情報）を遊技機ＩＤに対応付けて記憶する手段である。図４は、例えば、遊技機ＩＤ：１〜１６の遊技機２が、コースＩＤ：１のコース１に配置されていることを示している。
【００３６】
機種情報記憶手段１２１は、図１、図５及び図６に示すごとく、遊技場内に設置された遊技機の機種を表す機種情報を遊技機ＩＤ毎に記憶する手段である。機種情報記憶手段１２１は、パチンコ機であるかパチスロ機であるかを表す種別、遊技機ＩＤ、導入時期、コースＩＤを、機種毎に記憶している。なお、図５は、機種情報及びグループ情報に基づいて作成された遊技場のレイアウト図である。同図は、各コースに設置された遊技機２の機種を示している。同図によれば、コースＩＤ：１、２、３・・・は、それぞれ、コース１、２、３・・・に対応し、例えば、コース１には、遊技機ＩＤが１〜１６の遊技機２が配置されている。
【００３７】
図６は、遊技場に導入された機種毎の種別、遊技機ＩＤ、導入時期、コースＩＤを例示する図である。同図によれば、例えば、コースＩＤ：１であるコース１の中で、遊技機ＩＤ：１〜８に機種Ａが配置され、遊技機ＩＤ：９〜１６に機種Ｂが配置されている。また、機種Ａの導入時期が２００７年９月６日であり、機種Ｂの導入時期が２００７年９月２０日である。種別に示された「Ｐ」は、その機種がパチンコ機であることを表している。
【００３８】
配置替情報記憶手段１２３は、図１及び図７に示すごとく、配置替の実施前後の配置替情報を機種毎に記憶する手段である。配置替情報とは、配置替の実施前後の遊技機ＩＤの組み合わせを表す情報である。配置替情報記憶手段１２３は、遊技機の配置場所を変更する配置替が実施された際、機種毎に配置替の実施日と共に配置替情報を記憶する。
遊技データ記憶手段１２４は、遊技機ＩＤが対応付けされた営業日毎の遊技データを記憶する手段である。
【００３９】
図７は、遊技場Ｘにおける機種毎の配置替情報を例示している。同図では、配置替の実施前の設置台数、遊技機ＩＤ、配置日（配置替の実施日）、配置替の実施前の営業日の日数が機種毎に図示されている。例えば、機種Ａについては、配置替の実施前では遊技機ＩＤ：１〜８（コースＩＤ：１）に設置されていたが、２００７年１０月４日に配置替が実施されて遊技機ＩＤ：６５〜７２（コースＩＤ：５）に設置されている。同図中、配置替の実施前営業日の欄は、配置替の実施前の営業日の日数を表している。例えば、機種Ａの遊技機については、配置替の実施前の営業期間である２００７年９月６日から２００７年１０月４日までの営業日が２４日間となっている。なお、図７では、配置替が実施された順番で配置替情報を示している。
【００４０】
Ｉ／Ｏ部１３は、図１に示すごとく、遊技機から遊技信号を受信する受信手段１３１、及び場外サーバ装置５から機種別遊技データを取り込む機種別遊技データ取込手段１３２としての機能を備えている。
受信手段１３１は、遊技情報に対応する遊技信号を遊技機側から受信する手段である。受信手段１３１は、アウト信号、セーフ信号、スタート信号、大当たり信号、貸出信号等を受信する。
【００４１】
機種別遊技データ取込手段１３２は、図１に示すごとく、場外サーバ装置５が格納する単位期間毎の機種別遊技データ（図３参照。）を取り込む手段である。本例では、単位期間として１週間が設定されている。また、本例の機種別遊技データ取込手段１３２が取り込む機種別遊技データとしては、営業日１日遊技機１台当たりの平均の使用玉数である平均アウトが設定されている。機種別遊技データ取込手段１３２は、配置替の実施前及び実施後の各所定期間の開始日が属する開始週、及び最終日が属する終了週の平均アウトを機種別遊技データとして取り込む。なお、機種別遊技データとして、遊技機単位の遊技データを特定できれば、単位期間当たりの累計アウト等を設定することもできる。
【００４２】
出力手段１０３は、図１に示すごとく、第１の配置替データに基づく第２の配置替データの変化度合いである第１の変化度合いと、第１の基準データに基づく第２の基準データの変化度合いである第２の変化度合いとを対比可能な比較データ（図９を参照して後述する。）を出力する手段である。ここで、前記第１及び第２の配置替データは、遊技データ管理手段１１１が管理する遊技データ（図８を用いて後述する。）に基づいて、配置替データ生成手段１１２が生成する遊技データである。前記第１及び前記第２の基準データは、機種別遊技データ取込手段１３２が取り込む機種別遊技データ（図３参照。）に基づいて、基準データ生成手段１１３が生成する遊技データである。
【００４３】
装置本体１０１は、図１に示すごとく、ソフトウェアプログラムの実行により、上述のごとく、遊技データ記憶手段１２４が記憶する遊技データを管理する遊技データ管理手段１１１、第１の配置替データ及び第２の配置替データを生成する配置替データ生成手段１１２、前記第１及び第２の基準データを生成する基準データ生成手段１１３、抽出変化率を算出する抽出変化率算出手段１１４、基準変化率を算出する基準変化率算出手段１１５、配置変化率を算出する配置変化率算出手段１１６としての各機能を実現している。
【００４４】
遊技データ管理手段１１１は、図１及び図８に示すごとく、遊技機ＩＤ毎の遊技データを営業日毎に管理する手段である。遊技データ管理手段１１１は、遊技機ＩＤ毎にアウト、セーフ、スタート、大当り、差数、出玉率、売上金額、粗利金額等の遊技データを管理している。アウトは、遊技機に使用されたパチンコ玉（遊技媒体）の玉数を表している。アウトは、アウト信号の受信回数に１０玉を乗じて算出される。セーフは、遊技機が払い出したパチンコ玉の玉数を表している。セーフは、セーフ信号の受信回数に１０玉を乗じて算出される。スタートは、遊技機における役物作動数を表している。スタートは、スタート信号の受信回数を集計して算出される。大当りは、特別遊技状態発生回数を表している。大当りは、大当り信号の受信回数を集計して算出される。差数は、（アウト−セーフ）、つまり差引遊技媒体数を表している。出玉率は、払出率（セーフ÷アウト）を表している。売上金額は、貸出機２１に投入された金額を表している。売上金額は、１００円毎の貸出信号の受信回数に１００円を乗じて算出される。粗利金額は、遊技場側の利益（売上金額−（売上金額÷貸出単価−差数）×交換単価）を表している。なお、本例の貸出単価は４円／１玉であり、交換単価は３円／１玉である。図８は、遊技場Ｘに設置された機種Ａの各遊技機２について、ある営業日に実測された遊技データを例示している。
【００４５】
配置替データ生成手段１１２は、図１及び図９に示すごとく、配置替の実施前後の所定期間の遊技データである第１及び第２の配置替データを生成する手段である。本例の第１の配置替データは、配置替の実施前の所定期間における遊技機２の遊技データである。第２の配置替データは、配置替の実施後の所定期間における遊技機２の遊技データである。なお、図９におけるホールデータ中の後述する平均アウト、累計アウト、及び対象アウトが前記各配置替データに相当している。
【００４６】
基準データ生成手段１１３は、図１及び図９に示すごとく、前記配置替の実施前の所定期間において想定される第１の基準データ、及び前記配置替の実施後の所定期間において想定される第２の基準データを生成する手段である。基準データ生成手段１１３は、機種別遊技データ取込手段１３２が取り込んだ機種別遊技データ（営業日１日遊技機１台当たりの平均アウト）に基づいて、前記第１及び第２の基準データを生成する。なお、図９におけるサーバデータ中の後述する平均アウト、及び対象アウトが前記各基準データに相当している。
【００４７】
抽出変化率算出手段１１４は、図１及び図９に示すごとく、前記第１の配置替データに対する前記第２の配置替データの変化度合い（第１の変化度合い）である抽出変化率を算出する手段である。抽出変化率算出手段１１４は、第２の配置替データを第１の配置替データにより除算することにより抽出変化率を算出する。なお、図９では、ホールデータ中の変化率として抽出変化率を示している。
【００４８】
基準変化率算出手段１１５は、図１及び図９に示すごとく、前記第１の基準データに対する前記第２の基準データの変化度合い（第２の変化度合い）である基準変化率を算出する手段である。基準変化率算出手段１１５は、第２の基準データを第１の基準データにより除算することにより基準変化率を算出する。なお、図９では、サーバデータ中の変化率として基準変化率を示している。
【００４９】
配置変化率算出手段１１６は、図１及び図９に示すごとく、基準変化率に対する抽出変化率の割合である配置変化率を算出する手段である。配置変化率算出手段１１６は、抽出変化率を基準変化率により除算することにより配置変化率を算出する。なお、図９では、コース変化率として配置変化率を示している。
【００５０】
次に、以上のように構成された本例の管理装置１が出力する遊技デ−タについて、図９を用いて説明する。
同図には、配置替の実施前後の所定期間の機種毎の第１及び第２の配置替データ、及び当該所定期間に対応する第１及び第２の基準データが表示されている。同図中、左側のホールデータは、遊技場Ｘにおいて実測された遊技データである。また、同図中、右側のサーバデータは、機種別遊技データに基づいて想定される遊技データである。
【００５１】
同図中の「種別」欄は、配置替の実施前であるか、配置替の実施後であるかを示している。台数は、集計対象の遊技機２の台数を示し、コースは、コースＩＤを示している。
ホールデータ中の平均アウトは、所定期間における営業日１日遊技機１台当たりの平均のアウトである。サーバデータ中の平均アウトは、所定期間に対応する期間（図６参照。）における営業日１日遊技機１台当たりの平均のアウトである。
【００５２】
対象日は、開始日から終了日までの営業日数であり、所定期間に属する営業日の日数を示している。累計アウトは、集計対象期間における対象の遊技機の総アウト数を示している。対象アウトは、配置替の実施前後の平均アウトに基づいた集計対象遊技機の台数が所定数（本例では、８台。）であった場合の理論累計アウトを示している。対象アウト（理論累計アウト）は、平均アウト×対象日×所定数で算出される。なお、累計アウト÷台数×所定数により求めても良いし、台数＝所定数である場合には、累計アウトをそのまま採用しても良い。ホールデータ中の変化率は、前記抽出変化率を示している。サーバデータ中の変化率は、前記基準変化率を示している。コース変化率は、前記配置変化率を示している。なお、平均アウトは、累計アウト÷対象日（２４日間）÷台数により算出される。また、本例の抽出変化率及び基準変化率は、平均アウトについての変化率を示している。
【００５３】
図９における開始日及び終了日は、前記所定期間の初日あるいは末日を表している。開始日及び終了日は、新台入替日からの営業日数を表している。例えば、開始日が１日であれば新台入替日からの営業日数が１日目であることを表し、終了日が２４日であれば新台入替日からの営業日数が２４日目であることを表している。本例では、配置替の実施前後の所定期間が一致するように開始日及び終了日を設定している。なお、配置替の実施後、配置替の実施前の設置期間を経過する前に再度、配置替が実施された場合には、その配置替の日が終了日として設定される。
【００５４】
例えば、図９中のＮｏ．９では、配置替の実施後から１１日しか経過してないため、配置替の実施前の対象日が１１日となるように配置替の実施前の開始日が設定されている。配置替の実施後の対象日が配置替の実施前の対象日に達することなく撤去、あるいは減台された場合も同様に開始日が設定される（Ｎｏ．３参照）。このような開始日の調整が必要ない場合には、新台入替日となる１日目が配置替の実施前の開始日となる。また、配置替の実施後の開始日は、配置替の実施前の終了日の翌営業日となる。
【００５５】
例えば、図９中のＮｏ．１では、配置替の実施前の対象日が２４日であるので、配置替の実施後の対象日が２４日となるように配置替の実施後の終了日が設定される。なお、配置替の実施後の対象日が配置替の実施前の対象日に達することなく撤去、あるいは減台された場合には、その時点が配置替の実施後の終了日として設定される。
なお、サーバデータにおける開始週及び終了週としては、ホールデータにおける開始日の対応週あるいは終了日の対応週が設定されている。
【００５６】
以上のように、本例の管理装置１が出力する遊技データに基づけば、配置場所に応じた集客効果を適切に把握し得る。遊技場内の配置場所に応じた集客効果を適切に把握できれば、遊技機の配置替による効果を未然に予測でき、失敗のない配置替を実施できるようになる。
【００５７】
なお、本例の機種別遊技データ取込手段１３２は、場外サーバ装置５から機種別遊技データを取り込むように構成されている。機種別遊技データ取込手段としては、本例に代えて、例えば、遊技機メーカ等が提供する稼動推移情報を参照して遊技場の従業員がキーボード入力した機種別遊技データを取り込む手段であっても良く、ＣＤ等の記録媒体に記憶された稼動推移情報に含まれる機種別遊技データを取り込む手段であっても良い。
【００５８】
なお、本例では、配置替の実施前後における平均アウトに基づいて配置変化率（図９中のコース変化率）を算出したが、前記配置替データ及び前記基準データとして、スタート回数や、大当り数、あるいは売上金額等を採用して配置変化率を算出しても良い。もちろん、対象アウトや累計アウトに基づいて配置変化率を算出しても良い。さらに、簡易的に、平均アウトの変化率を配置変化率とすることも可能である。
またなお、場外サーバ装置５が機種毎の遊技データを管理する単位期間としては、本例の１週単位に代えて、３日単位、１０日単位等、どのような単位期間を設定しても良い。
【００５９】
なお、本例における遊技データのデータ項目や、数値等は全て例示であり、本例のほか、どのようなデータ項目を設定しても良い。
なお、本例では、遊技機としてパチンコ機を管理対象としているが、パチンコ機には限定されず、スロットマシン等、他の遊技機を管理対象としても良い。
なお、中継器２２と管理装置１との間に介設される図示しない中継装置に、本例の管理装置１の機能を持たせることも良い。すなわち、本例の遊技場用管理装置とは、中継装置等を含めた広義の遊技場用管理装置を意味している。
【００６０】
（実施例２）
本例は、実施例１の管理装置に基づいて、コース（配置グループ）の集客効果を表す指標値である配置グループ期待値の出力機能を追加した例である。この内容について、図１、図９及び図１０を用いて説明する。
【００６１】
本例の管理装置１は、実施例１で説明した構成に加えて、図示しない期待値算出手段を備えている。この期待値算出手段は、配置グループ（本例では、コース。）が発揮する集客効果の指標値である配置グループ期待値を算出する手段である。配置グループ期待値（本例では、コース期待値。）は、配置替の実施により異なるコースから特定のコースに配置替された際の配置変化率の平均値である。
【００６２】
本例では、図１０に示すごとく、配置変化率（本例では、コース変化率）を集計している。同図では、縦方向の欄に配置替の実施後の移動先のコースのコースＩＤを表すコース番号が規定され、横方向の欄に配置替の実施前の移動元のコースのコースＩＤを表すコース番号が規定されている。実施例１で説明したように図９のごとく算出されたコース変化率（配置変化率）は、図１０における対応する欄のコース変化率としてそのまま集計される。例えば、図９におけるＮｏ．５のコース変化率７９．３％は、図１０におけるコース３→２の場合のコース変化率としてそのまま集計されている。
【００６３】
一方、同じ経路の配置替によるコース変化率の実績値が２件以上ある場合には、図１０のコース変化率が次のように算出される。例えば、コース１→５は、図９中のＮｏ．１及び６の２件ある。この場合、これら２件を通算した抽出変化率及び基準変化率が必要となる。抽出変化率の算出には、前記２件（Ｎｏ．１及び６）の配置替の実施前後の平均アウトが必要となる。図９のホールデータにおける配置替の実施前の平均アウトの集計は、２件の累計アウトの合計（７，０８４，８００＋２３，１００，５６０＝３０，１８５，３６０）を、対象日の合計（２４＋９８＝１２２）と台数の平均値（（８＋８）÷２＝８）にて除した値（３０，１８５，３６０÷１２２÷８＝３０，９２７．６）である。同様に、配置替の実施後の平均アウトは、（（６，６８５，６４０＋２０，６７２，５２０）÷１２２÷８＝２８，０３０．９）である。これにより、抽出変化率は、配置替の実施前の平均アウトに対する配置替の実施後の平均アウトであるので、２８，０３０．９÷３０，９２７．６＝９０．６％となる。
【００６４】
同様に、基準変化率は、配置替の実施前の平均アウト（（７，８７０５６０＋１８，９６８，８８０）÷１２２÷８＝２７，４９９．４）に対する配置替の実施後の平均アウト（（５，４１２，４３２＋１２，９５４，８１６）÷１２２÷８＝１８，８１８．９）であるから、１８，８１８．９÷２７，４９９．４＝６８．４％となる。
そして、図９中のＮｏ．１及び６を通算したコース変化率は、図１０のごとく、９０．６％（抽出変化率）÷６８．４％（基準変化率）＝１３２．４％として算出される。
なお、これに代えて、図９中Ｎｏ．１のコース変化率１３７．２％と、Ｎｏ．６のコース変化率１３１．０％との平均値である１３４．１％を、コース１→５へのコース変化率として算出しても良い。なお、基準変化率を算出する際には、累計アウトの代わりに対象アウトを参照する必要があるが、抽出変化率を算出する場合に、累計アウトの代わりに対象アウトを参照すれば、台数の平均値を参照せずに、所定数（８台）で除算するだけ、あるいは配置替の実施前後で相殺されるので、台数を計算対象から除外することも可能となる。
【００６５】
一方、図９のごとく算出された実績のコース変化率が存在しない場合のコース変化率の算出パターンには、次の２つのパターンがある。
第１のパターンは、コース変化率の逆数を利用して算出するパターンである。図９のごとくコース２→３へのコース変化率の実績値は存在していない一方、コース３→２のコース変化率の実績値が存在している（Ｎｏ．５）。そこで、コース２→３への配置替は、コース３→２への配置替の逆の効果が得られると仮定すれば、Ｎｏ．５のコース変化率の逆数１２６．０％がコース２→３のコース変化率として算出可能である。なお、ここまでの算出方法により求められるコース変化率を実績値、あるいは実績値に準じた値として区別可能な様にハッチングしている。また、これ以降、コース変化率の実績値の逆数についても実績値として説明する。
【００６６】
第２のパターンは、コース変化率の実績値がなく、かつ、コース変化率の逆数も利用できない場合の算出パターンである。このパターンでは、移動元のコースが一致しており、移動先のコースが異なるコース変化率の実績値を利用してコース変化率を算出する。例えば、コース３→１へのコース変化率は、図１０中で実績値が存在するコース５→１、及びコース５→３のコース変化率を利用して算出可能である。すなわち、コース５→１、コース５→３のコース変化率はそれぞれ７５．５％、９０．０％となっている。コース５を基準として考えたとき、コース１への配置替の期待値は７５．５％であり、コース３への配置替の期待値は９０．０％となる。したがって、コース３への配置替に対して、コース１への配置替の期待値の割合は、７５．５％÷９０．０％=８３．９％となる。この期待値の割合が、コース３→１のコース変化率として算出可能である。
【００６７】
また、異なる移動先コースに対して、複数の移動元コースが重複する実績値があれば、より精度高くコース変化率を算出可能である。例えば、図１０では、移動先コース２及び５に対して各々、移動元コース３及び６の実績値が存在している。すなわち、移動元コース３及び６からコース２へのコース変化率はそれぞれ７９．３％、８８．３％であり、コース５へのコース変化率はそれぞれ１１１．１％、１１９．６％である。ここで、前者の平均（合計）値８３．８％（１６７．６％）を移動元コース３及び６からコース２へ配置替した場合の期待値とし、後者の平均（合計）値１１５．４％（２３０．７％）を移動元コース３及び６からコース５へと配置替した場合の期待値として、両者の割合をコース２から５への期待値１３７．６％（１１５．４％÷８３．８％）として算出する。すなわち、重複する複数の移動元コース（コース３及び６）から、異なる移動先コース（コース２及び５）へと移動した場合の各期待値の割合を、上述したコース３から１へのコース変化率の算出方法と同様にコース変化率として算出する。
【００６８】
なお、それ以外のコース変化率については、上述の算出方法により算出されたコース変化率を利用して算出することも可能である。本例では、これによりコース変化率を全て算出し、移動先のコース毎のコース変化率の平均値を配置グループ期待値（本例では、コース期待値）として算出している。
【００６９】
以上のように、本例の管理装置１は、対象となるコースを特定し、対応する遊技データを抽出して、上述したような所定の演算を実行して図１０の集計データを算出する。このように算出された配置グループ期待値（コース期待値）に基づけば、コース毎の集客効果を定量的に把握することが可能になる。配置グループ期待値に基づいて、コース毎の外的な要因等を検討できるようになる。
なお、その他の構成及び作用効果については実施例１と同様である。
【００７０】
なお、次の手順により、コース変化率を算出する際の遊技データの母数を増加させることも可能である。例えば、コース２→４への配置替はＮｏ．９（図９参照。）のみであるが、Ｎｏ．８のコース４→２への配置替時のコース変化率の逆数を算出すれば、コース２→４のコース変化率を集計する際に利用可能である。Ｎｏ．８のコース４→２のコース変化率の逆数は、（配置替の実施前後のサーバデータにおける対象アウト合計値の割合）÷（配置替の実施前後のホールデータにおける対象アウト合計値の割合）から算出可能である。これをＮｏ．９のコース変化率である（配置替の実施前後のホールデータにおける対象アウト合計値の割合）÷（配置替の実施前後のサーバデータにおける対象アウト合計値の割合）に組み合わせると、コース２→４のコース変化率を次式により算出できる。
【００７１】
すなわち、（（Ｎｏ．８の配置替の実施後のサーバデータにおける対象アウト（４，３１６，８２４）＋Ｎｏ．９の配置替の実施後のホールデータにおける対象アウト（２，４０８，３８４））÷（Ｎｏ．８の配置替の実施前のサーバデータにおける対象アウト（４，８１２，３３６）＋Ｎｏ．９の配置替の実施前のホールデータにおける対象アウト（２，５０４，９２０）））÷（（Ｎｏ．８の配置替実施後のホールデータにおける対象アウト（４，４３４，０４０）＋Ｎｏ．９の配置替の実施後のサーバデータにおける対象アウト（１，６３８，９１２））÷（Ｎｏ．８の配置替の実施前のホールデータにおける対象アウト（７，３３０，５６０）＋Ｎｏ．９の配置替の実施前のサーバデータにおける対象アウト（２，５９４，５０４）））という計算式により、コース２→４のコース変化率として１５０．２％が算出される。
【００７２】
なお、配置変化率（コース変化率）や配置グループ期待値（コース期待値）に基づいて遊技データのシミュレーションを行うことも良い。例えば、コース１→５の配置替のシミュレートにおいて、コース１におけるアウトが３００００である場合には、コース変化率（１３２．４％）に基づいてコース５におけるアウトを３９７２０と算出したり、コース１のコース期待値（８３．１％）に対するコース５のコース期待値（１１７．７％）の割合（１４１．６％）に基づきコース５のアウトを算出しても良い。さらになお、遊技データのシミュレーションを実施するに当たって、アウトに代えて、スタート回数や、大当り数、あるいは売上金額等についてのシミュレーションを実施することもできる。
【００７３】
なお、図１０中においてハッチングにより示す実績のコース期待値のみを管理対象としても良い。
さらになお、本例では、コース変化率（配置変化率）の平均値としてコース期待値（配置グループ期待値）を算出しているが、これに代えて、各コース変化率を算出する際の基礎となった平均アウトあるいは対象アウトに基づいてコース期待値を算出することもできる。
【図面の簡単な説明】
【００７４】
【図１】実施例１における、遊技場用管理装置の構成を示すシステム図。
【図２】実施例１における、場外サーバ装置が遊技場毎に管理する遊技機の導入情報を示す説明図。
【図３】実施例１における、場外サーバ装置が機種毎に管理する稼動推移情報を示す説明図。
【図４】実施例１における、遊技場用管理装置が管理するグループ情報を示す説明図。
【図５】実施例１における、遊技場用管理装置が管理するグループ情報及び機種情報に基づく遊技場のレイアウト図。
【図６】実施例１における、遊技場用管理装置が管理する遊技機の導入情報を示す説明図。
【図７】実施例１における、遊技場用管理装置が管理する配置替情報を示す説明図。
【図８】実施例１における、遊技データ管理手段が管理する遊技機毎の遊技データを示す説明図。
【図９】実施例１における、出力手段が出力する遊技データを示す説明図。
【図１０】実施例２における、コース毎のコース期待値を示す説明図。
【符号の説明】
【００７５】
１  遊技場用管理装置（管理装置）
１０３  出力手段
１１１  遊技データ管理手段
１１２  配置替データ生成手段
１１３  基準データ生成手段
１１４  抽出変化率算出手段
１１５  基準変化率算出手段
１１６  配置変化率算出手段
１２１  機種情報記憶手段
１２２  グループ情報記憶手段
１２３  配置替情報記憶手段
１２４  遊技データ記憶手段
１３１  受信手段
１３２  機種別遊技データ取込手段
２  遊技機
２１  貸出機
２２  中継器
５  場外サーバ装置
【図１】
0005133084.tif 000002
【図２】
0005133084.tif 000003
【図３】
0005133084.tif 000004
【図４】
0005133084.tif 000005
【図５】
0005133084.tif 000006
【図６】
0005133084.tif 000007
【図７】
0005133084.tif 000008
【図８】
0005133084.tif 000009
【図９】
0005133084.tif 000010
【図１０】
0005133084.tif 000011